(57)【要約】【課題】撮影カメラを撮影端末で制御して撮影を行う際に、撮影カメラに対する撮影制御を許可された撮影端末のみが撮影制御サーバに接続することができ、安定した撮影操作が可能な撮影制御方法を提供する。【解決手段】撮影制御サーバは、ＷＡＮを介して認証サーバから第１撮影端末を識別する第１端末識別情報を許可端末識別情報として受信し、ＬＡＮを介して通信する通信部の設定情報として、許可端末識別情報を設定する。第２撮影端末を識別する第２端末識別情報及び撮影カメラを制御するための撮影制御情報を通信部がＬＡＮを介して受信したとき、受信した第２端末識別情報と、許可端末識別情報として設定された第１端末識別情報と一致するかどうかを判定することで、第２撮影端末が第１撮影端末であるのかどうかを判断する。第２撮影端末が前記第１撮影端末であると判断された場合、受信した撮影制御情報に応じて撮影カメラを制御する。【選択図】図５
2018056986.tif 000002
【特許請求の範囲】
【請求項１】
認証サーバ及び撮影制御サーバを備えた撮影制御システムの撮影制御方法であって、
前記認証サーバは、
ワイドエリアネットワーク（ＷＡＮ）を介して第１撮影端末から前記第１撮影端末を識別する第１端末識別情報を受信し、
受信した前記第１端末識別情報により識別される前記第１撮影端末が、ローカルエリアネットワーク（ＬＡＮ）を介して撮影カメラを用いた撮影が許可された撮影端末であるかどうかを判定し、
前記第１撮影端末が前記撮影カメラを用いた撮影が許可された撮影端末であると判定された場合、前記第１端末識別情報を許可端末識別情報として、前記撮影制御サーバに前記ＷＡＮを介して送信し、
前記撮影制御サーバは、
前記ＷＡＮを介して前記認証サーバから前記許可端末識別情報を受信し、
前記ＬＡＮを介して通信する通信部の設定情報として、受信した前記許可端末識別情報を設定し、
第２撮影端末から前記第２撮影端末を識別する第２端末識別情報及び前記撮影カメラを制御するための撮影制御情報を前記通信部が前記ＬＡＮを介して受信したとき、受信した前記第２端末識別情報と、前記許可端末識別情報として設定された前記第１端末識別情報とが一致するかどうかを判定することで、前記第２撮影端末が前記第１撮影端末であるのかどうかを判断し、
前記第２撮影端末が前記第１撮影端末であると判断された場合、前記第２端末識別情報とともに受信した前記撮影制御情報に応じて前記撮影カメラを制御する、
撮影制御方法。
【請求項２】
前記設定において、前記許可端末識別情報として受信した前記第１端末識別情報のみが前記通信部に設定される、
請求項１に記載の撮影制御方法。
【請求項３】
前記設定において、
前記許可端末識別情報を送信した前記認証サーバが予め指定された認証サーバであるかどうかが判定され、
前記認証サーバが前記予め指定された認証サーバであると判定された場合、受信した前記許可端末識別情報が前記通信部に設定される、
請求項１又は２記載の撮影制御方法。
【請求項４】
また、撮影制御方法は、さらに、
前記認証サーバから前記許可端末識別情報を受信した後、撮像制御サーバは、所定時間の間、前記認証サーバから更なる許可端末識別情報を受信したかどうかを判定し、
前記所定時間の間、前記認証サーバから更なる許可端末識別情報が受信されなかったと判定された場合、前記設定において、前記許可端末識別情報が前記通信部に設定される、
請求項１〜３のいずれかに記載の撮影制御方法。
【請求項５】
前記通信部は、設定されたＭＡＣアドレスに対してのみ通信を許可するフィルタ部を含み、
前記第１端末識別情報は、前記第１撮影端末のＭＡＣアドレスを示し、
前記第２端末識別情報は、前記第２撮影端末のＭＡＣアドレスを示し、
前記判断において、前記第２撮影端末のＭＡＣアドレスと、前記第１撮影端末のＭＡＣアドレスとが一致する場合、前記第２撮影端末が前記第１撮影端末であると判断される、
請求項１〜４のいずれかに記載の撮影制御方法。
【請求項６】
前記フィルタ部は、回路を用いて構成される、
請求項５に記載の撮影制御方法。
【請求項７】
認証サーバと、撮影制御サーバとを備えた、撮影制御システムであって、
前記認証サーバは、
ワイドエリアネットワーク（ＷＡＮ）を介して第１撮影端末から前記第１撮影端末を識別する第１端末識別情報を受信する受信部と、
前記受信した前記第１端末識別情報により識別される前記第１撮影端末が、ローカルエリアネットワーク（ＬＡＮ）を介して撮影カメラを用いた撮影が許可された撮影端末であるかどうかを判定する制御部と、
前記第１撮影端末が前記撮影カメラを用いた撮影が許可された撮影端末であると判定された場合、前記第１端末識別情報を許可端末識別情報として、前記撮影制御サーバに前記ＷＡＮを介して送信する送信部とを備え、
前記撮影制御サーバは、
前記ＷＡＮを介して前記認証サーバから前記許可端末識別情報を受信する第１通信部と、
前記ＬＡＮを介して通信する第２通信部と、
前記第２通信部の設定情報として、受信した前記許可端末識別情報を設定する設定部と、
撮影カメラを制御するカメラ制御部と、を備え、
前記第２通信部は、前記ＬＡＮを介して第２撮影端末から前記第２撮影端末を識別する第２端末識別情報及び前記撮影カメラを制御するための撮影制御情報を受信したとき、受信した前記第２端末識別情報と、前記許可端末識別情報として設定された前記第１端末識別情報とが一致するかどうかを判定することで、前記第２撮影端末が前記第１撮影端末であるのかどうかを判断し、
前記第２撮影端末が前記第１撮影端末であると判断した場合、前記第２通信部は、
前記第２端末識別情報とともに前記ＬＡＮを介して受信した前記撮影制御情報を前記カメラ制御部へ出力し、
前記カメラ制御部は、受け取った前記撮影制御情報に応じて前記撮影カメラを制御する、
撮影制御システム。
【請求項８】
撮影制御サーバであって、
ワイドエリアネットワーク（ＷＡＮ）を介して認証サーバから許可端末識別情報を受信する第１通信部と、
ローカルエリアネットワーク（ＬＡＮ）を介して通信する第２通信部と、
前記第２通信部の設定情報として、受信した前記許可端末識別情報を設定する設定部と、
撮影カメラを制御するカメラ制御部と、を備え、
前記許可端末識別情報は、前記ＬＡＮを介して撮影カメラを用いた撮影が前記認証サーバにより許可された第１撮影端末を識別する第１端末識別情報であり、
前記第２通信部は、前記ＬＡＮを介して第２撮影端末から前記第２撮影端末を識別する第２端末識別情報及び前記撮影カメラを制御するための撮影制御情報を受信したとき、受信した前記第２端末識別情報と、前記許可端末識別情報として設定された前記第１端末識別情報とが一致するかどうかを判定することで、前記第２撮影端末が前記第１撮影端末であるのかどうかを判断し、
前記第２撮影端末が前記第１撮影端末であると判断した場合、前記第２通信部は、
前記第２端末識別情報とともに前記ＬＡＮを介して受信した前記撮影制御情報を前記カメラ制御部へ出力し、
前記カメラ制御部は、受け取った前記撮影制御情報に応じて前記撮影カメラを制御する、
撮影制御サーバ。
【発明の詳細な説明】
【技術分野】
【０００１】
本開示は、所定の撮影スポットにいる被写体を撮影する撮影制御方法、撮影制御システム及び撮影制御サーバに関し、例えば、テーマパーク、アミューズメント施設、及び観光地などの撮影スポットに設置される遠隔操作可能な撮影カメラを用いて撮影を行うための撮影制御方法等に関するものである。
【背景技術】
【０００２】
テーマパークやアミューズメント施設におけるアトラクション、パビリオン等の施設、及び観光地の景観が優れている場所など、ユーザが写真や動画などを撮影することを望む場所（以下「撮影スポット」という。）にカメラを設置し、設置したカメラを用いた撮影を提供するサービスが検討されている。このサービスによれば、ユーザの所有するカメラなどを用いて撮影するよりもブレのない綺麗な写真を得ることができたり、ユーザが立ち入ることができない場所からの撮影も可能となったりするので、ユーザの満足度を高めることができる。
【０００３】
このようなサービスを提供する一例として、遊園地のアトラクションの乗り物（ライド）に乗っているユーザを、カメラの前を通り過ぎる瞬間に、センサ等を用いて自動的に撮影し、撮影後に撮影した写真をユーザに見せて選ばせることで写真を提供するものが数多く見られる。
【０００４】
また、設置したカメラをお客様に直接操作させて撮影させるシステムの一例として、ユーザ所有の携帯端末（例えば、スマートフォン）を、撮影スポットに設置された撮影用カメラにネットワーク接続して撮影を行わせるものもある。このような利用方法の場合、撮影用カメラは、同時に一つだけの携帯端末から操作される必要があり、かつ、記念撮影用途であれば、撮影スポット周辺に被写体がいることが望まれる。
【０００５】
そこで、ユーザ所有の操作端末が撮影装置の制御権を取得するために、認証サーバが操作端末に表示させるパターンを提供し、それを表示した操作端末の画面を撮影装置が読み取り、読み取ったパターンが提供したパターンと一致するかどうかを確認する遠隔撮影システムがある（例えば、特許文献１参照）。この場合、ユーザの操作端末が撮影装置の視野角内にあることを確認でき、その操作端末にだけ、撮影制御権を与えることが可能となる。
【先行技術文献】
【特許文献】
【０００６】
【特許文献１】特開２０１６−６９５２号公報
【発明の概要】
【発明が解決しようとする課題】
【０００７】
しかしながら、上記したような従来の遠隔撮影システムでは、撮影装置、操作端末及び認証サーバの間の通信の観点において、更なる改善が必要とされていた。
【０００８】
本開示は、撮影カメラを撮影端末で制御して撮影を行う際に、撮影カメラに対する撮影制御を許可された撮影端末のみが撮影制御サーバに接続することができ、安定した撮影操作が可能となる撮影制御方法、撮影システム及び撮影制御サーバを提供することを目的とするものである。
【課題を解決するための手段】
【０００９】
本開示の一態様に係る撮影制御方法は、認証サーバ及び撮影制御サーバを備えた撮影制御システムの撮影制御方法であって、前記認証サーバは、ワイドエリアネットワーク（ＷＡＮ）を介して第１撮影端末から前記第１撮影端末を識別する第１端末識別情報を受信し、受信した前記第１端末識別情報により識別される前記第１撮影端末が、ローカルエリアネットワーク（ＬＡＮ）を介して撮影カメラを用いた撮影が許可された撮影端末であるかどうかを判定し、前記第１撮影端末が撮影カメラを用いた撮影が許可された撮影端末であると判定された場合、前記第１端末識別情報を許可端末識別情報として、前記撮影制御サーバに前記ＷＡＮを介して送信し、前記撮影制御サーバは、前記ＷＡＮを介して前記認証サーバから前記許可端末識別情報を受信し、前記ＬＡＮを介して通信する通信部の設定情報として、受信した前記許可端末識別情報を設定し、第２撮影端末から前記第２撮影端末を識別する第２端末識別情報及び前記撮影カメラを制御するための撮影制御情報を前記通信部が前記ＬＡＮを介して受信したとき、受信した前記第２端末識別情報と、前記許可端末識別情報として設定された前記第１端末識別情報とが一致するかどうかを判定することで、前記第２撮影端末が前記第１撮影端末であるのかどうかを判断し、前記第２撮影端末が前記第１撮影端末であると判断された場合、前記第２端末識別情報とともに受信した前記撮影制御情報に応じて前記撮影カメラを制御する。
【発明の効果】
【００１０】
本開示によれば、撮影制御サーバは、撮影カメラを用いた撮影が許可された撮影端末から受信した撮影制御情報を用いて撮影カメラを制御できるばかりか、撮影カメラを用いた撮影が許可された撮影端末からの安定した撮影操作が可能となる。
【図面の簡単な説明】
【００１１】
【図１】図１は、本開示の撮影制御システムの利用風景の一例を示す図である。
【図２】図２は、図１に示す撮影制御システムを利用するユーザの振る舞いの一例を示す図である。
【図３】図３は、図２に示す撮影端末に表示される表示画面の一例を示す図である。
【図４Ａ】図４Ａは、本開示の撮影制御システムのネットワーク構成の一例を示す図である。
【図４Ｂ】図４Ｂは、本開示の撮影制御サーバのハードウェア構成の一例を示す図である。
【図４Ｃ】図４Ｃは、本開示の撮影端末のハードウェア構成の一例を示す図である。
【図４Ｄ】図４Ｄは、本開示の認証サーバのハードウェア構成の一例を示す図である。
【図５】図５は、図４に示す撮影制御システムの構成の一例を示すブロック図である。
【図６】図６は、図５に示す撮影端末の動作手順の一例を示すフローチャートである。
【図７】図７は、図５に示す認証サーバの動作手順の一例を示すフローチャートである。
【図８】図８は、図５に示すカメラシステムの動作手順の一例を示すフローチャートである。
【図９】図９は、図５に示すカメラシステムの動作手順の他の一例を示すフローチャートである。
【発明を実施するための形態】
【００１２】
（本開示の基礎となった知見）
上記した従来の遠隔撮影システムでは、認証サーバ等と操作端末との間の通信としては、操作端末として携帯端末を使用する場合、携帯端末の通信事業者の通信網を介したインターネット経由で接続したり、あるいは、遠隔撮影システムのローカルエリアネットワークに無線ＬＡＮ（Ｌｏｃａｌ  Ａｒｅａ  Ｎｅｔｗｏｒｋ）接続したりするなどの通信手段が考えられる。
【００１３】
しかしながら、撮影端末から撮影カメラを制御して撮影を行う撮影制御システムでは、上記したような通信手段で撮影制御権の取得及び撮影制御を行った場合、以下の問題が発生する。
【００１４】
まず、インターネット経由での通信を行う場合、撮影カメラと撮影端末との間に多くの経路を通すことになるため、撮影カメラから撮影端末に送信される映像が遅延したり、ユーザが使用する撮影端末の通信量の負担も大きくなったりする。さらに、通信キャリアの契約により、通信速度が制限される場合もある。
【００１５】
また、無線ＬＡＮを介して接続する場合、他のユーザと無線ＬＡＮの帯域を分け合うことで通信速度が落ちる恐れがある。
【００１６】
本開示の一態様に係る撮影制御方法は、認証サーバ及び撮影制御サーバを備えた撮影制御システムの撮影制御方法であって、前記認証サーバは、ワイドエリアネットワーク（ＷＡＮ）を介して第１撮影端末から前記第１撮影端末を識別する第１端末識別情報を受信し、受信した前記第１端末識別情報により識別される前記第１撮影端末が、ローカルエリアネットワーク（ＬＡＮ）を介して撮影カメラを用いた撮影が許可された撮影端末であるかどうかを判定し、前記第１撮影端末が撮影カメラを用いた撮影が許可された撮影端末であると判定された場合、前記第１端末識別情報を許可端末識別情報として、前記撮影制御サーバに前記ＷＡＮを介して送信し、前記撮影制御サーバは、前記ＷＡＮを介して前記認証サーバから前記許可端末識別情報を受信し、前記ＬＡＮを介して通信する通信部の設定情報として、受信した前記許可端末識別情報を設定し、第２撮影端末から前記第２撮影端末を識別する第２端末識別情報及び前記撮影カメラを制御するための撮影制御情報を前記通信部が前記ＬＡＮを介して受信したとき、受信した前記第２端末識別情報と、前記許可端末識別情報として設定された前記第１端末識別情報とが一致するかどうかを判定することで、前記第２撮影端末が前記第１撮影端末であるのかどうかを判断し、前記第２撮影端末が前記第１撮影端末であると判断された場合、前記第２端末識別情報とともに受信した前記撮影制御情報に応じて前記撮影カメラを制御する。
【００１７】
この構成によると、認証サーバが、ＷＡＮを介して第１撮影端末から第１端末識別情報を受信し、受信した第１端末識別情報が撮影カメラを用いた撮影が許可された撮影端末である場合、認証サーバが、第１端末識別情報を許可端末識別情報として撮影制御サーバにＷＡＮを介して送信し、撮影制御サーバが、受信した許可端末識別情報を自身の通信部に設定する。
【００１８】
このとき、撮影制御サーバは、ＬＡＮを介して第２撮影端末から前記第２撮影端末を識別する第２端末識別情報及び前記撮影カメラを制御するための撮影制御情報を受信したとき、受信した前記第２端末識別情報と、前記許可端末識別情報として設定された前記第１端末識別情報と一致するかどうかを判定することで、前記第２撮影端末が前記第１撮影端末であるのかどうかを判断する。前記第２撮影端末が前記第１撮影端末であると判断された場合、前記第２端末識別情報とともに受信した前記撮影制御情報に応じて前記撮影カメラを制御する。
【００１９】
よって、撮影カメラを用いた撮影が許可された第１撮影端末のみが、ＬＡＮを介して撮影制御サーバと通信することができるため、ＬＡＮへの負担が軽減する。この結果、撮影スポットに設置された撮影カメラを撮影端末で制御して撮影を行う際に、撮影制御サーバは、撮影カメラを用いた撮影が許可された第１撮影端末から受信した撮影制御情報に応じて撮影カメラを制御できるばかりか、第１の撮影端末から安定した撮影操作が可能となる。
【００２０】
さらに、第１撮影端末からの第１端末識別情報の受信並びに前記認証サーバと撮影制御サーバとの間で行われる前記許可端末識別情報の送信および受信は、ＷＡＮを介して行われる。従って、ＬＡＮを介してこれらの送信および受信を行う場合に比べ、ＬＡＮへの負担がより軽減する。第１撮影端末は、ＬＡＮを介して撮影制御サーバ１１へ端末ＩＤおよび撮影制御情報を安定して送信することが可能となる。よって、第１撮影端末は、撮影カメラの撮影操作を安定して行うことが可能となる。
【００２１】
前記設定において、前記許可端末識別情報として受信した前記第１端末識別情報のみが前記通信部に設定されてもよい。
【００２２】
この構成によると、許可端末識別情報として前記通信部に設定されるのは、前記第１端末識別情報のみとなるので、撮影制御サーバと通信できる撮影端末は、第１撮影端末の１台のみになり、帯域を分け合うことによるＬＡＮへの負担がなくなる。更に撮影スポット周辺のユーザすなわち被写体の撮影端末と撮影制御サーバとの間のネットワーク接続を、他の撮影端末の通信が混在しないように、１対１のみに対応づけ、さらに安定した撮影操作が可能となる。
【００２３】
前記設定において、前記許可端末識別情報を送信した前記認証サーバが予め指定された認証サーバであるかどうかが判定されてもよい。また、前記認証サーバが前記予め指定された認証サーバであると判定された場合、受信した前記許可端末識別情報が前記通信部に設定されてもよい。
【００２４】
この構成によると、ＷＡＮとしてインターネットを用いた場合、インターネットから撮影制御サーバに対して各種通信による攻撃が行われたとしても、予め指定された認証サーバ以外からの通信処理の対応が不要になるため、撮影制御サーバの負荷を下げることが可能となる。
【００２５】
また、撮影制御方法は、さらに、前記認証サーバから前記許可端末識別情報を受信した後、所定時間の間、撮影制御サーバは、前記認証サーバから更なる許可端末識別情報を受信したかどうかを判定し、前記所定時間の間、前記認証サーバから更なる許可端末識別情報が受信されなかったと判定された場合、前記設定において、前記許可端末識別情報が前記通信部に設定されてもよい。
【００２６】
この構成によると、所定時間の間、連続して、許可端末識別情報を受信したとしても、受信時刻が最新の許可端末識別情報が前記通信部に設定される。
【００２７】
前記第２通信部は、設定されたＭＡＣアドレスに対してのみ通信を許可するフィルタ部を含んでもよい。また、前記第１端末識別情報は、前記第１撮影端末のＭＡＣアドレスを示し、前記第２端末識別情報は、前記第２撮影端末のＭＡＣアドレスを示してもよい。また、前記判断において、前記第２撮影端末のＭＡＣアドレスと、前記第１撮影端末のＭＡＣアドレスとが一致する場合、前記第２撮影端末が前記第１撮影端末であると判断されてもよい。
【００２８】
この構成によると、フィルタ部によって前記通信部が受信した情報をフィルタリングすることができ、前記許可端末識別情報として設定された第１端末識別情報によって識別される第１撮影端末から受信した撮影制御情報のみに応じて撮影カメラを制御を行うことが可能となる。
【００２９】
また、前記フィルタ部は、回路を用いて構成されてもよい。
【００３０】
この構成によると、通信部のフィルタ部を構成する回路によって外部からの通信をフィルタリングすることができ、許可された撮影端末からの通信のみを受け付けることが可能となるため、撮影制御サーバのソフトウェア処理に負荷を与えずに済むようになる。
【００３１】
また、本開示は、以上のような特徴的な処理を実行する撮影制御方法として実現することができるだけでなく、撮影制御方法が実行する特徴的な処理に対応する特徴的な構成を備える撮影制御システム及び撮影制御サーバなどとして実現することもできる。したがって、以下の他の態様でも、上記の撮影制御方法と同様の効果を奏することができる。
【００３２】
本開示の他の態様に係る撮影制御システムは、認証サーバと、撮影制御サーバとを備えた、撮影制御システムであって前記認証サーバは、ワイドエリアネットワーク（ＷＡＮ）を介して第１撮影端末から前記第１撮影端末を識別する第１端末識別情報を受信する受信部と、前記受信した前記第１端末識別情報により識別される前記第１撮影端末が、ローカルエリアネットワーク（ＬＡＮ）を介して撮影カメラを用いた撮影が許可された撮影端末であるかどうかを判定する制御部と、前記第１撮影端末が前記撮影カメラを用いた撮影が許可された撮影端末であると判定された場合、前記第１端末識別情報を許可端末識別情報として、前記撮影制御サーバに前記ＷＡＮを介して送信する送信部とを備え、前記撮影制御サーバは、前記ＷＡＮを介して前記認証サーバから前記許可端末識別情報を受信する第１通信部と、前記ＬＡＮを介して通信する第２通信部と、前記第２通信部の設定情報として、受信した前記許可端末識別情報を設定する設定部と、撮影カメラを制御するカメラ制御部と、を含み、前記第２通信部は、前記ＬＡＮを介して第２撮影端末から前記第２撮影端末を識別する第２端末識別情報及び前記撮影カメラを制御するための撮影制御情報を受信したとき、受信した前記第２端末識別情報と、前記許可端末識別情報として設定された前記第１端末識別情報とが一致するかどうかを判定することで、前記第２撮影端末が前記第１撮影端末であるのかどうかを判断し、前記第２撮影端末が前記第１撮影端末であると判断した場合、前記第２通信部は、前記第２端末識別情報とともに前記ＬＡＮを介して受信した前記撮影制御情報を前記カメラ制御部へ出力し、前記カメラ制御部は、受け取った前記撮影制御情報に応じて前記撮影カメラを制御する。
【００３３】
本開示の他の態様に係る撮影制御サーバは、ワイドエリアネットワーク（ＷＡＮ）を介して認証サーバから許可端末識別情報を受信する第１通信部と、ローカルエリアネットワーク（ＬＡＮ）を介して通信する第２通信部と、前記第２通信部の設定情報として、受信した前記許可端末識別情報を設定する設定部と、撮影カメラを制御するカメラ制御部と、を備え、前記許可端末識別情報は、前記ＬＡＮを介して撮影カメラを用いた撮影が前記認証サーバにより許可された第１撮影端末を識別する第１端末識別情報であり、前記第２通信部は、前記ＬＡＮを介して第２撮影端末から前記第２撮影端末を識別する第２端末識別情報及び前記撮影カメラを制御するための撮影制御情報を受信したとき、受信した前記第２端末識別情報と、前記許可端末識別情報として設定された前記第１端末識別情報とが一致するかどうかを判定することで、前記第２撮影端末が前記第１撮影端末であるのかどうかを判断し、前記第２撮影端末が前記第１撮影端末であると判断した場合、前記第２通信部は、前記第２端末識別情報とともに前記ＬＡＮを介して受信した前記撮影制御情報を前記カメラ制御部へ出力し、前記カメラ制御部は、受け取った前記撮影制御情報に応じて前記撮影カメラを制御する。
【００３４】
また、上記のような撮影制御方法に含まれる特徴的な処理をコンピュータに実行させるコンピュータプログラムとして実現することもできる。そして、このようなコンピュータプログラムを、ＣＤ−ＲＯＭ等のコンピュータ読み取り可能な非一時的な記録媒体あるいはインターネット等の通信ネットワークを介して流通させることができるのは、言うまでもない。
【００３５】
なお、以下で説明する実施の形態は、いずれも本開示の一具体例を示すためのものである。以下の実施の形態で示される数値、形状、構成要素、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。また、全ての実施の形態において、各々の内容を組み合わせることもできる。
【００３６】
以下、本開示の一実施の形態に係る撮影制御システムについて図面を参照しながら説明する。
【００３７】
（１．実施の形態）
本開示の一実施の形態に係る撮影制御システムは、テーマパーク、アミューズメント施設や観光地などにおける撮影スポットに設置された撮影カメラをユーザに使用させて、ユーザの満足する写真を撮影するサービスを提供するシステムである。
【００３８】
（１−１．概要）
図１は、本開示の一実施の形態に係る撮影制御システムの利用風景の一例を示す図である。図１に示すように、各撮影スポットには、通信機能を有し遠隔操作可能なカメラシステム１０ａ〜１０ｄ（以下、カメラシステム１０とも記載）が設置されている。各ユーザは、例えばスマートフォンなどの、通信機能を有する撮影端末２０ａ、撮影端末２０ｂ（以下、撮影端末２０とも記載）を所持しているものとする。なお、撮影端末２０は、スマートフォンに特に限定されず、タブレット等の他の携帯端末を用いてもよい。
【００３９】
図２は、図１に示す撮影制御システムを利用するユーザの振る舞いの一例を示す図である。図２に示すように、撮影スポットに設置されたカメラシステム１０は、ポール１００Ａなどに取り付けられ、撮影スポットにいるユーザの撮影が可能な角度で設置されている。なお、カメラシステム１０は、ポール１００Ａ以外に取り付けられていてもよい。
【００４０】
撮影端末２０を用いてカメラシステム１０を制御して撮影を行うためには、撮影専用の撮影端末２０を用いるか、ユーザ所有のスマートフォンなどに、撮影用のアプリケーションプログラムをインストールして撮影端末２０として利用することが可能である。
【００４１】
上記のように、ユーザ所有のスマートフォンを撮影端末２０として用いる場合、撮影端末２０を持つユーザは、撮影端末２０を用いて、カメラシステム１０で撮影する画像を確認しながら撮影を行う。
【００４２】
図３は、図２に示す撮影端末２０に表示される表示画面の一例を示す図である。図３に示すように、撮影時には、撮影端末２０の表示画面Ｓ１に、カメラシステム１０から送られてくる画像が表示され、ユーザは、表示画面Ｓ１に表示される画像を見ながら、表示画面Ｓ１の一方端に表示された撮影ボタンＢ１をタッチすることにより、撮影を行うことができる。
【００４３】
なお、撮影ボタンＢ１をタッチした瞬間に、カメラシステム１０がシャッターを切ると、ユーザが撮影端末２０を見ている写真が撮れてしまうため、タッチ後に数秒のインターバル期間を空けてシャッターを切るように動作させてもよい。また、撮影操作を行うユーザと被写体（例えば、ユーザの家族）とが異なる場合には、タッチした瞬間にシャッターが切れるようにしてもよい。
【００４４】
図４Ａは、本開示の一実施形態に係る撮影制御システムのネットワーク構成の一例を示す図である。図４に示す撮影制御システムは、カメラシステム１０、撮影端末２０、及び認証サーバ３０を備える。カメラシステム１０は、例えば、撮影カメラ１２と、撮影カメラの動作を制御する撮影制御サーバ１１とを備える。撮影カメラの動作の制御とは、例えば、撮影カメラ１２のライブビュー動画の取得、静止画の撮影、動画の撮影、ズームの調整、ピントの調整などの制御を含む。
【００４５】
図４Ｂは、撮影制御サーバ１１のハードウェア構成の一例を示す図である。
【００４６】
撮影制御サーバ１１は、例えば、コンピュータであり、ハードウェア構成として、ＣＰＵなどのプロセッサ１１１ａ、プログラムなどを記憶するメモリ１１１ｂ、ＷＡＮ（ワイドエリアネットワーク）５０を介して通信を行う第１通信回路１１１ｃ、ＬＡＮ（ローカルエリアネットワーク）４０を介して通信を行う第２通信回路１１１ｄ、を備える。通信とは情報の送信、情報の受信を含む。第１通信回路１１１ｃ、第２通信回路１１１ｄは、物理的に一体であってもよいし、別体であってもよい。
【００４７】
また、プロセッサ１１１ａ、第１通信回路１１１ｃ、第２通信回路１１１ｄは、物理的に一体であってもよいし、別体であってもよい。
【００４８】
メモリ１１１ｂは、データの書き込みが可能な記録媒体を含む。記録媒体とは、半導体メモリ、ハードディスクなどである。また、メモリ１１１ｂには、制御プログラムが記憶されており、この制御プログラムをプロセッサ１１１ａが実行することで、コンピュータは、撮影制御サーバ１１として機能する。
【００４９】
例えば、制御プログラムをプロセッサ１１１ａが実行することで、後述する許可ＩＤ設定部１３およびカメラ制御部１５が機能する。
【００５０】
また、制御プログラムを実行するプロセッサ１１１ａが第１通信回路１１１ｃを制御することで後述する第１通信部１７が機能する。また、制御プログラムを実行するプロセッサ１１１ａが第２通信回路１１１ｄを制御することで後述する第２通信部に対応するカメラ通信部１４が機能する。
【００５１】
また、メモリ１１１ｂに第１通信部１７として機能させるための第１通信プログラムが記憶されていてもよい。この場合、第１通信プログラムを第１通信回路１１１ｃが実行することで第１通信部１７が機能するのでもよい。
【００５２】
また、メモリ１１１ｂにカメラ通信部１４として機能させるための第２通信プログラムが記憶されていてもよい。この場合、第２通信プログラムを第２通信回路１１１ｄが実行することでカメラ通信部１４が機能するのでもよい。
【００５３】
また、メモリ１１１ｂには、コンピュータが、撮影制御サーバ１１として機能するときに、利用する情報などが記憶する記憶領域を含んでもよい。
【００５４】
図４Ｃは、撮影端末２０のハードウェア構成の一例を示す図である。
【００５５】
撮影端末２０は、例えば、コンピュータであり、ハードウェア構成として、ＣＰＵなどのプロセッサ２００ａ、プログラムなどを記憶するメモリ２００ｂ、ＷＡＮ５０を介して通信を行う第１通信回路２００ｃ、ＬＡＮ４０を介して通信を行う第２通信回路２００ｄ、ディスプレイ２００ｅを備える。通信とは情報の送信、情報の受信を含む。第１通信回路２００ｃ、第２通信回路２００ｄは、物理的に一体であってもよいし、別体であってもよい。
【００５６】
また、プロセッサ２００ａ、第１通信回路２００ｃ、第２通信回路２００ｄは、物理的に一体であってもよいし、別体であってもよい。
【００５７】
メモリ２００ｂは、データの書き込みが可能な記録媒体を含む。記録媒体とは、半導体、ハードディスクなどである。また、メモリ２００ｂには、制御プログラムが記憶されており、このプログラムをプロセッサ２００ａが実行することで、コンピュータは、撮影端末２０として機能する。
【００５８】
例えば、制御プログラムをプロセッサ２００ａが実行することで、後述する端末ＩＤ記憶部２２、撮影制御部２４が機能する。
【００５９】
また、制御プログラムを実行するプロセッサ２００ａが第１通信回路２００ｃを制御することで後述する第１通信部２１が機能する。また、制御プログラムを実行するプロセッサ２００ａが第２通信回路２００ｄを制御することで後述する第２通信部２５が機能する。
【００６０】
また、メモリ２００ｂに第１通信部２１として機能させるための第１通信プログラムが記憶されていてもよい。この場合、第１通信プログラムを第１通信回路２００ｃが実行することで第１通信部２１が機能するのでもよい。
【００６１】
また、メモリ２００ｂに第２通信部２５として機能させるための第２通信プログラムが記憶されていてもよい。この場合、第２通信プログラムを第２通信回路２００ｄが実行することで第２通信部２５が機能するのでもよい。
【００６２】
また、メモリ２００ｂには、コンピュータが、撮影端末２０として機能するときに、利用する情報などが記憶するための記憶領域を含んでもよい。本実施の形態では、メモリ２００ｂは、上述の情報の一例として後述する撮影端末２０の端末ＩＤを記憶する記憶領域を含んでおり、撮影端末２０として機能するとき、メモリ２００ｂのうち、少なくとも上述の記憶領域が端末ＩＤ記憶部として機能する。
【００６３】
ディスプレイ２００ｅは、例えば、タッチパネル式のディスプレイであってもよい。この場合、制御プログラムを実行するプロセッサ２００ａがディスプレイ２００ｅを制御することで、後述する操作及び表示部２３が機能する。また、メモリ２００ｂに操作及び表示部２３として機能させるための表示プログラムが記憶されていてもよい。この場合、ディスプレイ２００ｅが表示プログラムを実行することで、操作及び表示部２３が機能してもよい。
【００６４】
また、撮影端末２０は、キーボードなどのインターフェースを備えても良い。
【００６５】
図４Ｄは、認証サーバ３０のハードウェア構成の一例を示す図である。
【００６６】
認証サーバ３０は、例えば、コンピュータであり、ハードウェア構成として、ＣＰＵなどのプロセッサ３００ａ、プログラムなどを記憶するメモリ３００ｂ、ＷＡＮ５０を介して通信を行う第１通信回路３００ｃを備える。通信とは情報の送信、情報の受信を含む。
【００６７】
プロセッサ３００ａ、第１通信回路３００ｃは、物理的に一体であってもよいし、別体であってもよい。
【００６８】
メモリ３００ｂは、データの書き込みが可能な記録媒体を含む。記録媒体とは、半導体、ハードディスクなどである。また、メモリ３００ｂは、プログラムが記録されており、このプログラムをプロセッサ３００ａに実行させることで、コンピュータは、認証サーバ３０として機能する。
【００６９】
例えば、制御プログラムをプロセッサ３００ａが実行することで、後述する制御部３２が機能する。
【００７０】
また、制御プログラムを実行するプロセッサ３００ａが第１通信回路３００ｃを制御することで後述する第１通信部３１が機能する。
【００７１】
また、メモリ３００ｂに第１通信部３１として機能させるための第１通信プログラムが記憶されていてもよい。この場合、第１通信プログラムを第１通信回路３００ｃが実行することで第１通信部３１が機能するのでもよい。
【００７２】
また、メモリ３００ｂには、コンピュータが、認証サーバ３０として機能するときに、利用する情報などが記憶するための記憶領域を含んでもよい。本実施の形態では、メモリ３００ｂは、上述の情報の一例として後述する撮影カメラ１２の利用が許可された撮影端末の端末ＩＤを記憶する記憶領域を含んでおり、認証サーバ３０として機能するとき、メモリ３００ｂのうち、少なくとも上述の記憶領域が利用可能端末ＩＤ記憶部３３として機能する。
【００７３】
カメラシステム１０及び撮影端末２０は、ＬＡＮ４０を介して通信可能に接続される。ユーザの撮影端末２０からカメラシステム１０より具体的には撮影カメラ１２を遠隔操作する際、撮影端末２０とカメラシステム１０との間をＬＡＮ４０で接続することにより、高速で安定した通信が可能である。また、撮影端末２０とカメラシステム１０との通信形態としては、無線によって接続されることが望ましい。
【００７４】
一方、撮影端末２０及び認証サーバ３０は、ＷＡＮ５０を介して通信可能に接続される。本実施の形態では、ＷＡＮ５０として、インターネットを用いているため、撮影端末２０と認証サーバ３０との間の通信は、ＬＡＮ４０に比べて性能は安定しない。特に、撮影端末２０がＷＡＮ５０としてローコストで低速な回線しか有していない場合、カメラシステム１０のリアルタイムな映像をＷＡＮ５０経由で取得することは困難である。なお、ＷＡＮ５０は、上記のインターネットに特に限定されず、電話回線又は専用回線等を用いた広域通信網等を用いてもよい。
【００７５】
また、カメラシステム１０及び認証サーバ３０は、ＷＡＮ５０を介して通信可能に接続される。したがって、認証サーバ３０とカメラシステム１０との間もインターネットで接続される。ここでのインターネット接続には、有線の専用線を用いた高速なインターネット回線を用いることもあるが、観光地などの撮影スポットの中には、インターネット回線が整備されていないところも多く、この通信回線にも、撮影端末２０と同様で低速の携帯電話通信網が用いられることが多くなる。このように、撮影端末２０と認証サーバ３０との間の通信及びカメラシステム１０と認証サーバ３０との間の通信は、必ずしも高速で安定したものではないものになる。
【００７６】
上記のようにネットワーク接続された撮影制御システムを利用可能な撮影スポットにおいて、撮影端末２０を所持するユーザは、撮影用のアプリケーションプログラムをインストールした撮影端末２０を用いて認証サーバ３０と通信し、カメラシステム１０の制御権を取得する。制御権を取得したユーザは、撮影端末２０からカメラシステム１０を操作して、撮影スポットにいるユーザ自身の撮影を行うことが可能となる。
【００７７】
なお、撮影されたデータ（静止画や動画）は、カメラシステム１０からインターネット等を介して所定のクラウドサーバに保存することもできるし、撮影端末２０に保存することもできるが、本実施の形態では、保存先については、特に限定していない。
【００７８】
（１−２．構成）
次に、本実施の形態の撮影制御システムの構成について詳細に説明する。図５は、図４Ａ〜図４Ｄに示す撮影制御システムの機能構成の一例を示すブロック図である。
【００７９】
図５に示す撮影制御システムは、カメラシステム１０、撮影端末２０、及び認証サーバ３０を備える。カメラシステム１０は、撮影制御サーバ１１、及び撮影カメラ１２を備える。
【００８０】
撮影制御サーバ１１は、第１通信部１７、設定部に対応する許可ＩＤ設定部１３、第２通信部に対応するカメラ通信部１４、及びカメラ制御部１５を備える。カメラ通信部１４は、フィルタ部に対応する許可ＩＤフィルタ１６を含む。
【００８１】
第１通信部１７は、例えばＷＡＮ５０を介して送信される情報を受信する受信部１７ａ、およびＷＡＮ５０を介して情報を送信する送信部１７ｂを備える。
【００８２】
カメラ通信部１４は、例えばＬＡＮ４０を介して送信される情報を受信する。また、カメラ通信部１４は、ＬＡＮ４０を介して情報を送信する。
【００８３】
撮影端末２０は、第１通信部２１、端末ＩＤ記憶部２２、操作及び表示部２３、撮影制御部２４、及び第２通信部２５を備える。
【００８４】
第１通信部２１は、例えばＷＡＮ５０を介して送信される情報を受信する受信部２１ａ、およびＷＡＮ５０を介して情報を送信する送信部２１ｂを備える。
【００８５】
第２通信部２５は、例えば、例えばＬＡＮ４０を介して送信される情報を受信する。また、第２通信部２５は、ＬＡＮ４０を介して情報を送信する。第２通信部２５は、例えば、第２通信回路２００ｄを含むデバイスを用いて構成してもよい。デバイスとは、例えば、無線ＬＡＮデバイスである。
【００８６】
なお、無線ＬＡＮデバイスは、無線ＬＡＮアダプタということもある。また、無線ＬＡＮデバイスには、例えば、固有のＭＡＣアドレスが予め与えられている。
【００８７】
端末ＩＤ記憶部２２は、図４Ｃに示すメモリ２００ｂの記憶領域の少なくとも一部を含む。
【００８８】
撮影端末２０が、認証サーバ３０へ送信する情報とは、例えば端末識別情報である。端末識別情報は、撮影端末２０を識別する情報であり、撮影端末２０固有の情報である。端末識別情報は、端末ＩＤともいう。なお、撮影端末２０を第１撮影端末、撮影端末２０の端末識別情報を第１端末識別情報ということもある。
【００８９】
仮に撮影端末が複数あると仮定した場合、複数の撮影端末のそれぞれに与えられる端末ＩＤは、互いに異なる。逆に言えば、端末ＩＤが特定できれば、端末ＩＤによって識別される撮影端末を一意に特定できる。
【００９０】
操作及び表示部２３は、例えば、タッチパネル式のディスプレイであり、ユーザが種々の操作を入力するための操作画面等を表示するとともに、この操作画面を用いたユーザの操作入力等を受け付ける。例えば、操作及び表示部２３は、ユーザの端末ＩＤの送信指示を受け付け、第１通信部２１に端末ＩＤの送信を指示する。なお、操作及び表示部２３の構成は、上記の例に特に限定されず、操作部と、表示部とを別体のデバイスから構成する等の種々の変更が可能である。
【００９１】
端末ＩＤ記憶部２２は、撮影端末２０の端末ＩＤとして、例えば、ＭＡＣ（Ｍｅｄｉａ  Ａｃｃｅｓｓ  Ｃｏｎｔｒｏｌ）アドレスを予め記憶している。送信部２１ｂ、ユーザからの端末ＩＤの送信指示に従い、端末ＩＤ記憶部２２から読み出した撮影端末２０の端末ＩＤを、ＷＡＮ５０を介して、認証サーバ３０、より具体的には受信部３１ａに送信する。
【００９２】
ここで、端末ＩＤとしては、撮影端末２０がスマートフォンなどの携帯端末の場合には、ＭＡＣアドレスのほかに、スマートフォンの個体識別番号、カメラシステム１０が提供するサービスを利用するときのサービスアカウントなどを用いることが可能である。本実施の形態では、無線ＬＡＮデバイス（第２通信部２５）のＭＡＣアドレスを端末ＩＤとするものとする。なお、カメラシステム１０が提供するサービスとは、例えば、ＬＡＮ４０を介してカメラシステム１０を利用することであり、より具体的には、撮影制御サーバ１１を用いて撮影カメラの動作を遠隔制御することで、撮影カメラが撮影した撮影スポットを含む画像、動画などを閲覧または取得することなどである。
【００９３】
認証サーバ３０は、第１通信部３１、制御部３２及び利用可能端末ＩＤ記憶部３３を備える。
【００９４】
利用可能端末ＩＤ記憶部３３は、例えば、図４Ｄに示すメモリ３００ｂの記憶領域の少なくとも一部を含む。
【００９５】
認証サーバ３０は、例えば、撮影カメラ１２を用いた撮影が許可された撮影端末の情報を予め利用可能端末ＩＤ記憶部３３に記憶している。撮影カメラ１２を用いた撮影が許可された撮影端末の情報は、カメラシステム１０の利用を許可された撮影端末の情報ともいう。この情報とは、撮影カメラ１２を用いた撮影が許可された撮影端末の端末ＩＤのリスト、つまりカメラシステム１０を利用が許可された撮影端末の端末ＩＤのリストである。
【００９６】
例えば、受信した端末ＩＤが、ＭＡＣアドレスの場合、上述のリストには、カメラシステム１０を利用が許可された撮影端末のＭＡＣアドレスが含まれる。
【００９７】
認証サーバ３０の受信部３１ａは、ＷＡＮ５０を介して撮影端末２０から端末ＩＤを受信し、制御部３２へ出力する。制御部３２は、受信した端末ＩＤによって識別される撮影端末２０が、カメラシステム１０の利用を許可された撮影端末であるのかどうか、つまり撮影カメラ１２を用いた撮影が許可された撮影端末であるのかどうかを判定する。
【００９８】
例えば、制御部３２は、利用可能端末ＩＤ記憶部３３に記憶されたリストを参照して、受信した端末ＩＤと一致する端末ＩＤがリストに含まれているかどうかを調べる。受信した端末ＩＤと一致する端末ＩＤがリストに含まれていれば、制御部３２は、受信した端末ＩＤにより識別される撮影端末２０は、カメラシステム１０の利用を許可された撮影端末、つまり撮影カメラ１２を用いた撮影が許可された撮影端末であると判定する。
【００９９】
一方、受信した端末ＩＤと一致する端末ＩＤがリストに含まれていなければ、制御部３２は、受信した端末ＩＤにより識別される撮影端末２０は、カメラシステム１０の利用が許可されていない、つまり撮影カメラ１２を用いた撮影が許可されていない撮影端末であると判定する。
【０１００】
制御部３２は、受信した端末ＩＤにより識別される撮影端末２０が、カメラシステム１０を利用できる撮影端末であると判定した場合、利用許可情報を撮影端末２０へ送信するよう送信部３１ｂに指示する。利用許可情報とは、撮影端末２０がカメラシステム１０または撮影カメラ１２を利用できることを示す情報である。指示を受けた送信部３１ｂは、利用許可情報を撮影端末２０へＷＡＮ５０を介して送信する。
【０１０１】
また、制御部３２は、受信した端末ＩＤを許可ＩＤとして、許可ＩＤを撮影制御サーバ１１へ送信するよう送信部３１ｂに指示する。指示を受けた送信部３１ｂは、許可ＩＤを撮影制御サーバ１１へＷＡＮを介して送信する。
【０１０２】
許可ＩＤとは、制御部３２がカメラシステム１０を利用できると判定した撮影端末の端末ＩＤである。
【０１０３】
撮影制御サーバ１１は、許可ＩＤを受信すると、許可ＩＤをカメラ通信部１４の設定情報として設定する。許可ＩＤの設定については後述する。
【０１０４】
一方、制御部３２は、受信した端末ＩＤにより識別される撮影端末２０が、カメラシステム１０を利用できない撮影端末であると判定した場合、利用不可情報を送信するよう送信部３１ｂに指示する。利用不可情報とは、撮影端末２０がカメラシステム１０または撮影カメラ１２を利用できないことを示す情報である。指示を受けた送信部３１ｂは、利用不可情報を撮影端末２０へＷＡＮ５０を介して送信する。
【０１０５】
上述の例では、認証サーバ３０の利用可能端末ＩＤ記憶部３３に撮影カメラ１２を用いた撮影が許可された撮影端末の端末ＩＤを含むリストを予め記憶しておいてそのリストに含まれる端末ＩＤの中に受信した端末ＩＤに一致する端末ＩＤが含まれているかどうかで判定をしたが、これに限定をされない。
【０１０６】
制御部３２は、許可ＩＤを撮影制御サーバ１１へ送信するよう送信部３１ｂに指示した後、撮影制御サーバ１１から実際に設定がなされたかどうかを示す情報を受信部３１ａが受信してもよい。例えば、制御部３２は、受信部３１ａが受信からこの情報を受け取って、この情報に基づいて、撮影端末２０が、カメラシステム１０を利用できる撮影端末であるのかどうかを判定してもよい。
【０１０７】
送信した許可ＩＤが撮影制御サーバ１１において設定がされない場合とは、例えば、撮影制御サーバ１１において撮影端末２０とは別の撮影端末が既に撮影カメラを利用している場合などである。
【０１０８】
なお、利用可能端末ＩＤ記憶部３３に記憶される情報は、この例に特に限定されず、種々の変更が可能であり、例えば、端末ＩＤとして、固体識別番号、撮影端末２０がカメラシステム１０を利用するときのサービスアカウント等の他の識別情報を使用する場合は、他の識別情報とＭＡＣアドレスとを対応づけたテーブルを利用可能端末ＩＤ記憶部３３に記憶するようにしてもよい。この場合、制御部３２は、受信した識別情報に対応付けられているＭＡＣアドレスを利用可能端末ＩＤ記憶部３３から読み出し、読み出したＭＡＣアドレスを許可ＩＤとして撮影制御サーバ１１へ送信するよう送信部３１ｂに指示してもよい。
【０１０９】
撮影制御サーバ１１の第１通信部１７は、受信部１７ａおよび送信部１７ｂを備える。受信部１７ａは、ＷＡＮ５０を介して認証サーバ３０から送信される情報を受信する。認証サーバ３０から受信する情報とは、例えば、許可ＩＤに対応する撮影端末２０の端末ＩＤである。受信部１７ａは、認証サーバ３０から受信した許可ＩＤを許可ＩＤ設定部１３に出力する。
【０１１０】
許可ＩＤ設定部１３は、受け取った許可ＩＤを設定情報としてカメラ通信部１４に設定する。
【０１１１】
例えば、許可ＩＤ設定部１３は、一つの撮影端末２０からの撮影制御しか許可しない場合、それまでに設定されている許可ＩＤを全て削除した後、認証サーバ３０から最後に受信した許可ＩＤ、すなわち、最新１つの許可ＩＤのみをカメラ通信部１４の許可ＩＤフィルタ１６に設定する。
【０１１２】
なお、カメラシステム１０（撮影制御サーバ１１）が、同時にｎ個（ｎは２以上の整数）の撮影端末２０からの撮影制御を許可できる場合には、許可ＩＤ設定部１３は、ｎ個の許可ＩＤを設定するようにしてもよい。
【０１１３】
また、カメラシステム１０（撮影制御サーバ１１）が複数の認証サーバ３０から許可ＩＤを受信する場合、許可ＩＤ設定部１３は、内部のメモリ等に予め指定された認証サーバの識別情報を記憶しておき、許可ＩＤを送信する認証サーバが予め指定された認証サーバであるかどうかを判定してもよい。許可ＩＤ設定部１３は、許可ＩＤを送信する認証サーバが予め指定された認証サーバであると判定したときにのみ、受信部１７ａから受け取った許可ＩＤを許可ＩＤフィルタ１６に設定するようにしてもよい。また、撮影制御サーバ１１が複数の撮影カメラ１２を制御する場合、許可ＩＤ設定部１３は、撮影カメラ１２毎に一つ又は複数の許可ＩＤを設定するようにしてもよい。
【０１１４】
利用許可情報を受信した撮影端末２０において、撮影制御部２４は、端末ＩＤ記憶部２２から読み出した撮影端末２０の端末ＩＤと、操作及び表示部２３から入力されたユーザの撮影操作に基づいて撮影カメラ１２に対する撮影制御情報とをカメラシステム１０へ送信するよう第２通信部２５に指示する。指示を受けた第２通信部２５は、ＬＡＮ４０を介して、端末ＩＤと撮影制御情報とをカメラシステム１０、より具体的には撮影制御サーバ１１のカメラ通信部１４に送信する。
【０１１５】
カメラ通信部１４は、ＬＡＮ４０を介して撮影端末から撮影端末の端末ＩＤと撮影制御情報とを受信したとき、受信した端末ＩＤが許可ＩＤフィルタ１６に設定されている許可ＩＤと一致するかどうかを判定することで、ＬＡＮ４０を介して端末ＩＤと撮影制御情報を送信する撮影端末が許可ＩＤによって識別される撮影端末であるのかどうかを判断する。
【０１１６】
許可ＩＤフィルタ１６に設定されている許可ＩＤは、上述の通り撮影端末２０の端末ＩＤである。
【０１１７】
許可ＩＤフィルタ１６は、設定された許可ＩＤをリストとして保持し、受信した端末ＩＤに一致する許可ＩＤがリストに含まれるかをチェックする。本実施の形態では、上記したように、許可ＩＤのリストには、一つの許可ＩＤしか設定されないため、その許可ＩＤとの照合のみを行うことになる。
【０１１８】
受信した端末ＩＤと許可ＩＤとが一致する場合とは、ＬＡＮ４０を介して受信した端末ＩＤによって識別される撮影端末が許可ＩＤによって識別される撮影端末２０であることを意味する。つまり、ＬＡＮ４０を介して端末ＩＤおよび撮影制御情報を送信した撮影端末が撮影端末２０であることを意味する。
【０１１９】
カメラ通信部１４は、受信した端末ＩＤと許可ＩＤとが一致する場合のみ、ＬＡＮ４０を介して端末ＩＤとともに受信した撮影制御情報を許可ＩＤフィルタ１６を介してカメラ制御部１５に出力する。ここで、本実施の形態では、撮影端末２０の端末ＩＤは、撮影端末２０の第２通信部２５に対応する無線ＬＡＮデバイスのＭＡＣアドレスである。また、許可ＩＤとして設定されたＭＡＣアドレスとは、撮影端末２０のＭＡＣアドレスである。
【０１２０】
このため、許可ＩＤフィルタ１６は、許可ＩＤとして設定されたＭＡＣアドレスによってフィルタリングを行うことにより、許可ＩＤとして設定されたＭＡＣアドレスと一致するＭＡＣアドレスとともに受信した撮影制御情報のみがカメラ制御部１５に出力される。
【０１２１】
なお、ＭＡＣアドレスによる通信のフィルタリングは、多くのハードウェアが流通しており、本実施の形態でも、例えば、ＭＡＣアドレスによる通信のフィルタリングを行うハードウェア、例えばＭＡＣアドレスによる通信のフィルタリングを行うフィルタリング回路を用いて許可ＩＤフィルタ１６を実現してもよい。
【０１２２】
カメラ制御部１５は、カメラ通信部１４から受信した撮影制御情報に従って、撮影カメラ１２をコントロールする。例えば、撮影制御情報は、撮影カメラ１２のライブビュー動画の取得、静止画の撮影、動画の撮影、ズームの調整、ピントの調整などの制御情報を含み、撮影端末２０からの撮影カメラ１２に対する各種の制御を行うことが可能である。
【０１２３】
このようにすることで、撮影制御サーバ１１は、撮影端末２０はからＬＡＮ４０を介して送信される撮影制御情報のみに応じて撮影カメラ１２の撮影を制御することが可能となる。
【０１２４】
なお、本実施の形態では、カメラシステム１０が撮影制御サーバ１１及び撮影カメラ１２を備える構成例について説明したが、この例に特に限定されず、撮影制御サーバ１１と、撮影カメラ１２とを分離して異なる場所に配置したり、一つの撮影制御サーバ１１が複数の撮影カメラ１２を制御したりしてもよい。これらの場合、撮影制御サーバ１１と撮影カメラ１２との間は、有線又は無線のＬＡＮにより接続されることが好ましい。また、認証サーバ３０を撮影制御サーバ１１と別体のサーバとして説明したが、この例に特に限定されず、認証サーバ３０と撮影制御サーバ１１とを一体にした認証及び撮影制御サーバを用いてもよい。
【０１２５】
（１−３．動作）
次に、図５に示す撮影制御システムの動作について説明する。撮影制御システムの動作は、撮影端末２０、認証サーバ３０、カメラシステム１０のそれぞれの動作の組み合わせによって行われる。
【０１２６】
まず始めに、撮影端末２０の動作について、図６のフローチャートを用いて説明する。図６は、図５に示す撮影端末２０の動作手順の一例を示すフローチャートである。
【０１２７】
撮影端末２０による撮影操作は、認証サーバ３０への端末ＩＤの登録と、カメラシステム１０への撮影制御の大きく２つの手順で行われる。始めに、第１通信部２１は、認証サーバ３０の第１通信部３１へ端末ＩＤを送信する（ステップＳ１００１）。このとき、認証サーバ３０の制御部３２は、受信部３１ａが端末ＩＤを受信した時点において、端末ＩＤに対応する撮影端末２０がカメラシステム１０の利用を許可された撮影端末であるのかどうか、つまり撮影カメラ１２を用いた撮影が許可された撮影端末であるのかどうかを判定する。
【０１２８】
撮影端末２０がカメラシステム１０の利用が許可された撮影端末であると制御部３２が判定した場合、つまり撮影カメラ１２を用いた撮影が許可された撮影端末であると制御部３２が判定した場合、制御部３２は、利用許可情報を撮影端末２０へ送信するよう送信部３１ｂに指示する。指示を受けた送信部３１ｂは、利用許可情報を撮影端末２０へＷＡＮ５０を介して送信する。
【０１２９】
一方、カメラシステム１０の利用が許可されない場合とは、例えば、撮影端末２０の端末ＩＤと一致する端末ＩＤが認証サーバ３０の利用可能端末ＩＤ記憶部３３のリストに含まれていない場合または、他の撮影端末（図示せず）がカメラシステム１０を利用中である場合があり、その場合、制御部３２は利用不可情報を撮影端末２０へ送信するよう送信部３１ｂに指示する。指示を受けた送信部３１ｂは、利用不可情報を撮影端末２０へＷＡＮ５０を介して送信する。
【０１３０】
次に、撮影端末２０の受信部２１ａは、認証サーバ３０からの利用許可情報又は利用不可情報を受信し、カメラシステム１０の利用を許可されたか否かを判断する（ステップＳ１００２）。カメラシステム１０の利用を許可された場合、つまり利用許可情報を受信した場合（ステップＳ１００２でＹｅｓ）、受信部２１ａは受信した利用許可情報を撮影制御部２４に出力して、ステップＳ１００３に移行する。一方、カメラシステム１０の利用を許可されていない場合、つまり利用不可情報を受信した場合（ステップＳ１００２でＮｏ）、撮影端末２０は、カメラシステム１０を利用した撮影を行うことができないため、処理を終了する。
【０１３１】
カメラシステム１０の利用を許可された場合（ステップＳ１００２でＹｅｓ）、撮影端末２０の撮影制御部２４は、第２通信部２５を用いて、カメラシステム１０にＬＡＮ４０を介して接続する（ステップＳ１００３）。ここで、ＬＡＮ４０は、無線のネットワークであり、カメラシステム１０への接続は、例えば、カメラシステム１０のカメラ通信部１４が無線ＬＡＮのアダプタであり、第２通信部２５の無線ＬＡＮ機能を用いて、クライアントとして接続する。通常、このような無線ＬＡＮへの接続は、ＳＳＩＤ（Ｓｅｒｖｉｃｅ  Ｓｅｔ  Ｉｄｅｎｔｉｆｉｅｒ）と呼ばれる識別子と、パスワードとによる認証によって接続されるが、本実施の形態では、認証の有無は特に問わない。
【０１３２】
次に、撮影制御部２４は、第２通信部２５を用いて、端末ＩＤ記憶部２２から読み出した自身の端末ＩＤと、操作及び表示部２３から入力されたユーザの撮影操作に基づく撮影制御情報とを撮影制御サーバへＬＡＮ４０を介して送信する（ステップＳ１００４）。本実施の形態での端末ＩＤは、第２通信部２５に対応する無線ＬＡＮデバイスのＭＡＣアドレスとすることで、カメラシステム１０へのＬＡＮ４０内での通信においては、データリンク層（第２層）で送信され、撮影制御情報は、アプリケーション層（第７層）で送信される。この通信のレイヤー構成は、ＩＳＯ（国際標準化機構）で規定されており、ここでの詳細な説明は割愛する。また、カメラシステム１０との通信規定を独自に定めることで、端末ＩＤであるＭＡＣアドレスをアプリケーション層で送信することも可能である。
【０１３３】
ここで、カメラシステム１０のカメラ通信部１４は、撮影端末から端末ＩＤと撮影制御情報とをＬＡＮ４０を介して受信する。カメラ通信部１４が端末ＩＤと撮影制御情報とをＬＡＮを介して受信した時点において、ＬＡＮ４０を介して端末ＩＤと撮影制御情報とを送信する撮影端末が撮影端末２０であるのかどうかが特定されていない。
【０１３４】
このため、ＷＡＮ５０を介して認証サーバ３０から許可ＩＤとして受信した端末ＩＤが示す撮影端末２０を第１撮影端末、ＬＡＮ４０を介して端末ＩＤと撮影制御情報とを送信する撮影端末を第２撮影端末ということにする。
【０１３５】
カメラ通信部１４は、例えば、ＬＡＮ４０を介して受信した端末ＩＤが、設定情報として設定された許可ＩＤと一致するかどうかを判定することで、ＬＡＮ４０を介して受信した端末ＩＤにより識別される第２撮影端末が、第１撮影端末つまり許可ＩＤにより識別される撮影端末２０であるのかどうかを判断する。ＬＡＮ４０を介して受信した端末ＩＤにより識別される撮影端末が、撮影端末２０であると判断した場合、カメラ通信部１４は、ＬＡＮ４０を介して受信した撮影制御情報をカメラ制御部１５に出力する。カメラ制御部１５は、カメラ通信部１４から撮影制御情報を受け付けると、撮影制御情報に基づいて撮影カメラ１２の制御を行う。撮影カメラ１２は、撮影制御情報に基づく制御に対する応答をカメラ通信部１４へ出力し、カメラ通信部１４は、受け取った応答を撮影端末２０に送信する。
【０１３６】
次に、撮影制御部２４は、第２通信部２５を用いて、カメラシステム１０からの応答を受信する（ステップＳ１００５）。例えば、撮影制御部２４が、第２通信部２５を用いて撮影制御情報として、撮影カメラ１２が撮影スポットにいるユーザを写したライブの動画像を取得する撮影制御情報を送信した場合、カメラシステム１０からの応答として、第２通信部２５が受信したライブの動画像を取得する。取得したライブの動画像は図３に示す撮影端末２０の表示画面Ｓ１に、映像（撮影画像）として表示される。撮影端末２０を所持して撮影操作を行うユーザは、この撮影画像を見ながら、構図やポーズを決めることができる。
【０１３７】
また、撮影制御部２４が、第２通信部２５を用いて撮影制御情報として、撮影カメラ１２にシャッター制御情報を送った場合、撮影カメラ１２は、静止画の撮影を行う。例えば、ユーザが図３の撮影ボタンＢ１にタッチすることをトリガーとして、撮影端末２０がカメラシステム１０にシャッター制御情報を送ることにより、ユーザの操作に従った撮影カメラ１２の撮影動作を指示することができる。撮影された静止画データは、撮影端末２０への応答として返すだけでなく、カメラシステム１０の仕様によっては、撮影端末２０の端末ＩＤに紐付けて所定のクラウドサーバ等に保管することも可能であるが、本実施の形態においては、撮影された静止画等のコンテンツの保管方法は問わない。
【０１３８】
一連の撮影制御操作が終了すると、ユーザは、撮影端末２０の操作及び表示部２３を操作して他の撮影制御を行うか否かを決定し、操作及び表示部２３は、他の撮影制御を行うか否かの指示情報を撮影制御部２４に出力し、撮影制御部２４は、操作及び表示部２３からの指示情報に応じて、カメラシステム１０の利用を継続するか否かを決定する（ステップＳ１００６）。カメラシステム１０の利用を継続して他の撮影操作を行う場合（ステップＳ１００６でＹｅｓ）、ステップＳ１００４に戻り、以降の処理を実行する。一方、カメラシステム１０の利用を継続せず、これ以上の撮影操作を行わない場合（ステップＳ１００６でＮｏ）、撮影制御部２４は、第２通信部２５を用いて、カメラシステム１０とのネットワーク通信、すなわち無線ＬＡＮによる接続を終了し、カメラシステム１０とのネットワーク回線を切断する（ステップＳ１００７）。このように、撮影端末２０の撮影操作は、カメラシステム１０とのネットワーク切断によって終了する。
【０１３９】
次に、認証サーバ３０の動作について、図７のフローチャートを用いて説明する。図７は、図５に示す認証サーバ３０の動作手順の一例を示すフローチャートである。
【０１４０】
まず、認証サーバ３０の受信部３１ａは、ＷＡＮ５０を介して撮影端末２０からの端末ＩＤを受信し、受信した端末ＩＤを制御部３２に出力する（ステップＳ１１０１）。次に、制御部３２は、利用可能端末ＩＤ記憶部３３に予め記憶されているリストを参照する。リストには、カメラシステム１０の利用が許可された撮影端末の端末ＩＤが含まれている。制御部３２は、ステップＳ１１０１において受信した端末ＩＤと一致する端末ＩＤがリストに含まれているかどうかを調べる（ステップＳ１１０２）。
【０１４１】
次に、制御部３２は、ステップ１１０２により調べた結果に基づいて、ステップＳ１１０１にて受信した端末ＩＤにより識別される撮影端末２０がカメラシステム１０の利用を許可された撮影端末であるかどうか、つまり、撮影端末２０が撮影カメラ１２を用いた撮影が許可された撮影端末であるかどうかを判定する。
【０１４２】
なお、上述の撮影端末２０がカメラシステム１０の利用が許可された撮影端末であるかどうかを判定することを、撮影端末２０がカメラシステム１０の利用対象かどうかを判定するともいう（ステップＳ１１０３）。
【０１４３】
ステップ１１０２によりリストを調べた結果、ステップＳ１１０１にて受信した端末ＩＤと一致する端末ＩＤがリストに含まれていない場合、制御部３２は、撮影端末２０がカメラシステム１０の利用が許可されていない撮影端末、つまり撮影端末２０が撮影カメラ１２を用いた撮影が許可されていない撮影端末であると判定する。
【０１４４】
この場合、制御部３２は、撮影端末２０がカメラシステム１０の利用対象ではないと判定（ステップＳ１１０３でＮｏ）するので、制御部３２は、利用不可情報の送信を送信部３１ｂに指示する。指示を受けた送信部３１ｂは、利用不可情報を撮影端末２０にＷＡＮを介して送信し（ステップＳ１１０７）、処理を終了する。
【０１４５】
一方、ステップ１１０２によりリストを調べた結果、ステップＳ１１０１にて受信した端末ＩＤと一致する端末ＩＤがリストに含まれている場合、制御部３２は、撮影端末２０がカメラシステム１０の利用を許可された撮影端末、つまり撮影端末２０が撮影カメラ１２を用いた撮影が許可された撮影端末であると判定する。
【０１４６】
この場合、制御部３２は、撮影端末２０がカメラシステム１０の利用対象であると判定（ステップＳ１１０３でＹｅｓ）するので、制御部３２は、ステップＳ１１０１にて受信した端末ＩＤを許可ＩＤとし、この許可ＩＤの送信を送信部３１ｂに指示する。指示を受けた送信部３１ｂは、許可ＩＤを撮影制御サーバ１１にＷＡＮを介して送信し（ステップＳ１１０４）、ステップＳ１１０５へ進む。
【０１４７】
一方、撮影制御サーバ１１の受信部１７ａは、認証サーバ３０から許可ＩＤを受信すると、受信した許可ＩＤを許可ＩＤ設定部１３に出力する。許可ＩＤ設定部１３は、許可ＩＤを受け取った時点で、撮影端末２０がカメラシステム１０を利用可能な状態であるのか、つまり撮影端末２０が撮影カメラ１２を用いて撮影をすることができる状態かどうかを判断する。
【０１４８】
例えば、許可ＩＤ設定部１３は、許可ＩＤを受け取った時点で、カメラシステム１０が撮影端末２０とは別の撮影端末により利用されていなければ、撮影端末２０がカメラシステム１０を利用可能な状態、つまり撮影端末２０が撮影カメラ１２を用いて撮影をすることができると判断する。
【０１４９】
この場合、許可ＩＤ設定部１３は、許可ＩＤを許可ＩＤフィルタ１６に設定する。許可ＩＤ設定部１３は、設定完了情報を認証サーバ３０へ送信するよう送信部１７ｂに指示する。設定完了情報とは、許可ＩＤの設定が完了したことを示す情報である。指示を受けた送信部１７ｂは、ＷＡＮ５０を介して設定完了情報を認証サーバ３０へ送信する。
【０１５０】
一方、許可ＩＤ設定部１３は、許可ＩＤを受け取った時点で、カメラシステム１０が撮影端末２０とは別の撮影端末により利用されていれば、撮影端末２０がカメラシステム１０を利用不可の状態、つまり撮影端末２０が撮影カメラ１２を用いて撮影をすることができない状態であると判断する。
【０１５１】
本実施の形態では、許可ＩＤフィルタ１６に設定できる許可ＩＤは１つのみであるため、カメラシステム１０が撮影端末２０とは別の撮影端末により利用されているとき、許可ＩＤ設定部１３は、受け取った許可ＩＤを許可ＩＤフィルタ１６に設定できないからである。この場合、許可ＩＤ設定部１３は、設定不可情報を認証サーバ３０へ送信するよう送信部１７ｂに指示する。設定不可情報とは、許可ＩＤ設定部１３が許可ＩＤを設定できなかったことを示す情報である。指示を受けた送信部１７ｂは、ＷＡＮ５０を介して設定不可情報を認証サーバ３０へ送信する。
【０１５２】
次に、制御部３２は、送信を指示した許可ＩＤが、撮影制御サーバ１１の許可ＩＤフィルタに設定されたのかどうかを判定する。具体的には、受信部３１ａは、送信部３１ｂが撮影制御サーバ１１へ送信した許可ＩＤに対する応答としての情報を受信し、受信した情報を制御部３２へ出力する。応答としての情報とは、設定完了情報および設定不可情報のいずれかである。制御部３２は、受信部から受け取った情報が設定完了情報および設定不可情報の何れであるのかを判定することにより、撮影制御サーバ１１の許可ＩＤフィルタに送信した許可ＩＤが設定されたのかどうかを判定する。
【０１５３】
制御部３２は、撮影制御サーバ１１の送信部１７ｂから受信した情報に基づいて、許可ＩＤが許可ＩＤフィルタ１６に設定されたのかどうかを判断する（ステップＳ１１０５）。
【０１５４】
撮影端末２０の端末ＩＤが許可ＩＤとして、撮影制御サーバ１１の許可ＩＤフィルタに設定された場合、つまり制御部３２が設定完了情報を受け取った場合（ステップＳ１１０５でＹｅｓ）、制御部３２は、利用許可情報を撮影端末に送信するよう送信部１７ｂに指示する。指示を受けた送信部３１ｂは、ＷＡＮ５０を介して利用許可情報を撮影端末に送信し（ステップＳ１１０６）、処理を終了する。
【０１５５】
一方、撮影端末２０の端末ＩＤが撮影制御サーバ１１の許可ＩＤフィルタに設定されなかった場合（ステップＳ１１０５でＮｏ）、つまり制御部３２が設定不可情報を受け取った場合、制御部３２は、利用不可情報を撮影端末に送信するよう送信部１７ｂに指示する。指示を受けた送信部３１ｂは、ＷＡＮ５０を介して利用不可情報を撮影端末に送信し（ステップＳ１１０７）、処理を終了する。
【０１５６】
なお、ステップＳ１１０５において、撮影制御サーバ１１へ送信した許可ＩＤが許可ＩＤフィルタに設定されなかった場合、制御部３２は、受信部１７ａを介して設定不可情報を受け取り、撮影制御サーバ１１へ送信した許可ＩＤが許可ＩＤフィルタに設定されなかったと判定する処理について説明したがこれに限定をされるものではない。
【０１５７】
例えば、許可ＩＤ設定部１３は、許可ＩＤを受け取った時点で、カメラシステム１０が撮影端末２０とは別の撮影端末により利用されていれば、受け取った許可ＩＤをメモリ１１１ｂに一時的に記憶してもよい。そして、許可ＩＤ設定部１３は、利用中情報を認証サーバ３０へ送信するよう送信部１７ｂへ指示してもよい。利用中情報とは、カメラシステム１０が撮影端末２０とは別の撮影端末に利用されている最中であることを示す情報、つまり順番待ちを示す情報である。指示を受けた送信部１７ｂは、利用中情報を認証サーバ３０へＷＡＮ５０を介して送信してもよい。
【０１５８】
また、別の撮影端末によるカメラシステム１０の利用が終了し、撮影端末２０によるカメラシステム１０の利用が可能になったときに、許可ＩＤ設定部は、利用可能情報を認証サーバ３０へ送信するよう送信部１７ｂに指示してもよい。利用可能情報とは、撮影端末２０によるカメラシステム１０の利用が可能になったことを示す情報である。指示を受けた送信部１７ｂは、利用可能情報を認証サーバ３０へＷＡＮ５０を介して送信してもよい。
【０１５９】
そして、許可ＩＤ設定部は、保持していた許可ＩＤを許可ＩＤフィルタ１６に設定し、設定完了情報を認証サーバ３０へ送信するよう送信部１７ｂに指示してもよい。このようにすれば、許可ＩＤ設定部が、許可ＩＤを受け取った時点で、許可ＩＤにより識別される撮影端末２０とは別の撮影端末によりカメラシステム１０が利用されていても、別の撮影端末の利用が終了した後に、撮影端末２０によるカメラシステム１０の利用が可能となる。
【０１６０】
次に、カメラシステム１０の動作について、図８のフローチャートを用いて説明する。図８は、図５に示すカメラシステム１０の動作手順の一例を示すフローチャートである。
【０１６１】
まず、カメラシステム１０は、最初に全ての撮影端末２０からの制御を制限するために、許可ＩＤの初期化、すなわち許可ＩＤフィルタ１６に設定されている許可ＩＤの削除を行う（ステップＳ１２０１）。具体的には、許可ＩＤ設定部１３は、カメラ通信部１４の許可ＩＤフィルタ１６に登録された許可ＩＤを削除する。
【０１６２】
次に、受信部１７ａは、認証サーバ３０から許可ＩＤを新たに受信し、許可ＩＤ設定部１３へ、新たに受信した許可ＩＤを出力する（ステップＳ１２０２）。この例では、許可ＩＤを新たに受信するのは、撮影端末２０の端末ＩＤである。また、受信部１７ａは、許可ＩＤを１つ受信すればよいが、これに限定をされるものではない。例えば、認証サーバ３０から同一の許可ＩＤを複数回送信するような構成であれば、受信部１７ａは、同一の許可ＩＤを複数回受信することになる。認証サーバ３０と撮影制御サーバ１１間のＷＡＮ５０の通信回線の不具合が発生した場合において、受信部１７ａが許可ＩＤを受信できないことを防ぐためである。この場合、受信部１７ａは、許可ＩＤを受信してから、タイマー（図示せず）を用いて時間を計測し、計測した時間が予め定めた時間になるまでの間、更なる許可ＩＤを受信しなければ、この許可ＩＤを新たな許可ＩＤとして許可ＩＤ設定部１３へ出力してもよい。
【０１６３】
または、許可ＩＤ設定部１３が、上述の処理を行ってもよい。この場合、許可ＩＤ設定部１３は、受信部１７ａから許可ＩＤを受け取ってから、タイマー（図示せず）を用いて時間を計測し、計測した時間が予め定めた時間になるまでの間、更なる許可ＩＤを受信しなければ、この許可ＩＤを新たな許可ＩＤとして用いて後述する処理を行ってもよい。
【０１６４】
許可ＩＤ設定部１３は、新たな許可ＩＤを受け取った時点で他の撮影端末２０に操作許可を与えているかどうか、すなわち新たに受信した許可ＩＤとは異なる許可ＩＤが許可ＩＤフィルタ１６に既に設定されているか否かをチェックする（ステップＳ１２０３）。許可ＩＤが設定されていない場合（ステップＳ１２０３でＮｏ）、許可ＩＤ設定部１３は、新たな許可ＩＤが示す撮影端末２０がカメラシステム１０を利用可能な状態であると判断し、ステップＳ１２０５に移行する。
【０１６５】
一方、許可ＩＤが既に許可ＩＤフィルタ１６に設定されていた場合（ステップＳ１２０３でＹｅｓ）、許可ＩＤ設定部１３は、新たな許可ＩＤが示す撮影端末２０がカメラシステム１０を利用可能な状態かどうか、つまり撮影端末２０が撮影カメラ１２を用いて撮影をすることができる状態であるかどうかを判断する。具体的には、許可ＩＤ設定部１３は、許可ＩＤフィルタ１６に既に設定されている許可ＩＤにより識別される撮影端末から撮影制御サーバ１１とのＬＡＮ接続が切断されたかどうかを判定する（ステップＳ１２０４ａ）。
【０１６６】
許可ＩＤフィルタ１６に既に設定されている許可ＩＤにより識別される撮影端末から撮影制御サーバ１１とのＬＡＮ接続がまだ切断されていないと判定した場合（ステップＳ１２０４ａでＮｏ）、許可ＩＤ設定部１３は、既に設定されている許可ＩＤにより識別される撮影端末がカメラシステム１０を用いて撮影中であるため、撮影端末２０が撮影カメラ１２を用いて撮影をすることができない状態であると判断する。
【０１６７】
この場合、許可ＩＤ設定部１３は、設定不可情報を認証サーバ３０へ送信するよう送信部１７ｂに指示する。設定不可情報とは、許可ＩＤ設定部１３が受け取った新たな許可ＩＤを設定できなかったことを示す情報である。指示を受けた送信部１７ｂは、ＷＡＮ５０を介して設定不可情報を認証サーバ３０へ送信し、ステップＳ１２０２へ戻り、更なる許可ＩＤの受信を待つ。
【０１６８】
一方、許可ＩＤフィルタ１６に既に設定されている許可ＩＤにより識別される撮影端末から撮影制御サーバ１１とのＬＡＮ接続が既に切断されていると判定した場合（ステップＳ１２０４ａでＹｅｓ）、許可ＩＤ設定部１３は、既に設定されている許可ＩＤにより識別される撮影端末がカメラシステム１０を用いた撮影を既に終了しているので、撮影端末２０が撮影カメラ１２を用いて撮影をすることができる状態であると判断し、ステップＳ１２０４ｃへ進む。
【０１６９】
許可ＩＤ設定部１３は、新たな許可ＩＤを受け取る前に設定されていた許可ＩＤを削除する（ステップＳ１２０４ｃ）。
【０１７０】
次に、許可ＩＤ設定部１３は、新たに受信した許可ＩＤによって識別される撮影端末２０からの撮影制御情報をカメラ制御部１５へ出力させるために、新たに受信した許可ＩＤをカメラ通信部１４の許可ＩＤフィルタ１６に設定し、設定完了情報を認証サーバ３０へ送信するよう送信部１７ｂに指示する。設定完了情報は許可ＩＤの設定が完了したことを示す情報である。指示を受けた送信部１７ｂは、ＷＡＮ５０を介して設定完了情報を認証サーバ３０へ送信する（ステップＳ１２０５）。
【０１７１】
ステップＳ１２０５の処理が行われた時点で、ステップＳ１２０２で新たに受信した許可ＩＤと同じ端末ＩＤにより識別される撮影端末（この場合、撮影端末２０）から送信される撮影制御情報のみが、カメラ通信部１４からカメラ制御部１５へ出力される。
【０１７２】
次に、カメラ通信部１４は、ＬＡＮを介して端末ＩＤおよび撮影制御情報を受信する（ステップＳ１２０６）。カメラ通信部１４が端末ＩＤと撮影制御情報とをＬＡＮを介して受信した時点において、ＬＡＮ４０を介して端末ＩＤと撮影制御情報とを送信する撮影端末が撮影端末２０であるのかどうかが特定されていない。
【０１７３】
上述したように、ＷＡＮ５０を介して認証サーバ３０から許可ＩＤとして受信した端末ＩＤが示す撮影端末２０を第１撮影端末、ＬＡＮ４０を介して端末ＩＤと撮影制御情報とを送信する撮影端末を第２撮影端末ということにする。許可ＩＤとして受信した撮影端末２０の端末ＩＤは、ステップＳ１２０５において許可ＩＤフィルタ１６に設定されている。
【０１７４】
カメラ通信部１４、より具体的には許可ＩＤフィルタ１６は、ＬＡＮ４０を介して受信した端末ＩＤが許可ＩＤフィルタ１６に設定されている許可ＩＤと一致するか否かを判定する（ステップＳ１２０７）。受信した端末ＩＤと許可ＩＤとが一致しない場合（ステップＳ１２０７でＮｏ）、カメラ通信部１４は、第２撮影端末が第１撮影端末ではない、つまり撮影端末２０ではないと判断し、処理をステップＳ１２０６に戻る。
【０１７５】
例えば、許可ＩＤと異なる端末ＩＤによって識別される撮影端末から、端末ＩＤと撮影制御情報とを受信した場合は、受信した端末ＩＤと登録されている許可ＩＤとが異なるため（ステップＳ１２０７でＮｏ）、撮影制御情報は、カメラ制御部１５へ出力されることはなく、ステップＳ１２０６へ戻るので、新たな撮影制御情報の受信を待つことになる。
【０１７６】
すなわち、許可ＩＤフィルタ１６は、許可ＩＤと一致しない端末ＩＤとともに受信した撮影制御情報が、カメラ制御部１５に出力されることを抑止することになる。ここで、本実施の形態では、許可ＩＤと端末ＩＤとがそれぞれＭＡＣアドレスであるため、無線ＬＡＮアダプタを用いてカメラ通信部１４を構成すれば、許可ＩＤフィルタ１６は、無線ＬＡＮアダプタのハードウェア機能によって実現することができる。無線ＬＡＮアダプタを用いてカメラ通信部１４を構成すれば、ソフトウェアによるフィルタリングに比べて高速なフィルタリングを行うことが可能である。
【０１７７】
一方、受信した端末ＩＤと許可ＩＤとが一致する場合（ステップＳ１２０７でＹｅｓ）、カメラ通信部１４は、第２撮影端末は、第１撮影端末つまり撮影端末２０であると判断する。この場合、端末ＩＤとともに受信した撮影制御情報は許可ＩＤフィルタ１６を介してカメラ制御部１５へ出力され、カメラ制御部１５は、カメラ通信部１４からの撮影制御情報に従って、撮影カメラ１２の撮影制御を実行する（ステップＳ１２０８）。
【０１７８】
例えば、許可ＩＤと一致する端末ＩＤを持つ撮影端末２０から、端末ＩＤと撮影制御情報とを受信した場合は、受信した端末ＩＤと許可ＩＤフィルタ１６に設定されている許可ＩＤとが一致し（ステップＳ１２０７でＹｅｓ）、カメラ通信部１４は、撮影制御情報をカメラ制御部１５に出力し、カメラ制御部１５は、受信した撮影制御情報に従って撮影カメラ１２による撮影スポットの撮影を制御する。
【０１７９】
次に、カメラ通信部１４は、撮影端末２０からの撮影制御が終了し、撮影端末２０からのネットワーク接続が切断されたか否かを判断する（ステップＳ１２０９）。撮影端末２０からのネットワーク接続が切断されていない場合（ステップＳ１２０９でＮｏ）、カメラ通信部１４は、処理をステップＳ１２０６に戻る。一方、撮影端末２０からのネットワーク接続が切断された場合（ステップＳ１２０９でＹｅｓ）、カメラシステム１０は、今回の撮影制御を終了し、ステップＳ１２０２に戻って、撮影端末２０の端末ＩＤとは異なる新たな許可ＩＤが認証サーバ３０から受信されるのを待つ。
【０１８０】
なお、撮影端末２０から一定時間アクセスが無い場合、カメラシステム１０は、ネットワーク接続を強制的に切断するようにしてもよい。
【０１８１】
図９は、図５に示すカメラシステム１０の動作手順の他の一例を示すフローチャートである。
【０１８２】
図９において、図８と同じ符号を付したものは同一またはこれに相当するものであるため、ここでは詳細な説明は省略する。図９では、図８に示すステップＳ１２０３をステップＳ１２０３ａとしたこと、ステップＳ１２０９でＹｅｓの場合、ステップ１２１０を行った後、ステップ１２０２へ戻るようにしたことを特徴とする。
【０１８３】
撮影端末２０からのネットワーク接続が切断された場合（ステップＳ１２０９でＹｅｓ）、ステップＳ１２１０において、許可ＩＤ設定部１３は、許可ＩＤフィルタに設定されている許可ＩＤを削除し、ステップＳ１２０２へ戻る。
【０１８４】
ステップＳ１２０３ａにおいて、許可ＩＤが許可ＩＤフィルタ１６に既に設定されているか否かをチェックする。許可ＩＤフィルタ１６に許可ＩＤが設定されてない場合とは、ステップＳ１２０１において初期化を行った後、またはＳ１２１０で許可ＩＤフィルタに設定されている許可ＩＤを削除した後、ステップＳ１２０２で初めて許可ＩＤを受信した場合である。
【０１８５】
許可ＩＤが設定されていない場合（ステップＳ１２０３ａでＮｏ）、許可ＩＤ設定部１３は、新たな許可ＩＤが示す撮影端末２０がカメラシステム１０を利用可能な状態であると判断し、ステップＳ１２０５に移行する。
【０１８６】
一方、許可ＩＤが既に許可ＩＤフィルタ１６に設定されていた場合（ステップＳ１２０３ａでＹｅｓ）、許可ＩＤ設定部１３は、既に設定されている許可ＩＤにより識別される撮影端末がカメラシステム１０を用いて撮影中であるため、撮影端末２０が撮影カメラ１２を用いて撮影をすることができない状態であると判断し、ステップＳ１２０４ｂへ進む。
【０１８７】
このように構成をすれば、図８に示すステップＳ１２０４ａが不要となる。
【０１８８】
（１−４．効果）
本実施の形態によれば、１台の撮影端末２０の端末ＩＤだけが、カメラシステム１０における撮影制御サーバ１１のカメラ通信部の許可ＩＤフィルタ１６に設定情報として設定されるので、カメラ通信部１４がＬＡＮ４０を介して受信した端末ＩＤが、許可ＩＤフィルタ１６に設定された撮影端末２０の端末ＩＤと一致する場合のみ、ＬＡＮ４０を介して端末ＩＤとともに受信した撮影制御情報が、カメラ制御部１５へ出力される。
【０１８９】
逆に言えば、カメラシステム１０の利用が許可されていない撮影端末つまり、撮影端末２０とは異なる撮影端末が、この撮影端末の端末ＩＤとともに撮影制御情報を撮影制御サーバ１１へＬＡＮ４０を介して送信しとしても、カメラ通信部１４は、受信した端末ＩＤが、許可ＩＤフィルタ１６に設定された撮影端末２０の端末ＩＤと一致しないので、受信した撮影制御情報が、カメラ制御部１５へ出力されることはない。
【０１９０】
つまり、撮影端末２０のみがカメラシステム１０を利用して撮影カメラ１２を用いた撮影を行うこと可能となり、ＬＡＮ４０への負担が軽減する。この結果、撮影端末２０から撮影スポットに設置された撮影カメラ１２を制御して撮影を行う際に、撮影端末２０から撮影カメラ１２に対する安定した撮影操作が可能となる。
【０１９１】
（２．変形例）
以上、本開示に係る撮影制御システムの実施の形態を説明したが、例示した撮影制御システムを以下のように変形することも可能であり、本開示が上述の実施の形態で示した通りの撮影制御システムに限られないことは勿論である。
【０１９２】
（１）上述の実施の形態では、撮影端末２０と認証サーバ３０との通信、及び、カメラシステム１０と認証サーバ３０との通信は、インターネットを介して行う形態としているが、撮影端末２０とカメラシステム１０との通信と同様に、ローカルエリアネットワークで接続して実現してもよい。
【０１９３】
（２）上述の実施の形態で示したカメラ通信部１４は、無線ＬＡＮアクセスポイント機器を用いて構成してもよい。
【０１９４】
（３）上述の実施の形態で示した認証サーバ３０の受信部３１ａ、送信部３１ｂ、制御部３２及び利用可能端末ＩＤ記憶部３３は、カメラシステム１０（撮影制御サーバ１１）内に備えることも可能である。
【０１９５】
（４）上述の実施の形態で示した撮影端末２０とカメラシステム１０とは、無線ＬＡＮで接続されていたが、有線ＬＡＮを含むその他の通信方式、例えば、ＵＳＢ（Ｕｎｉｖｅｒｓａｌ  Ｓｅｒｉａｌ  Ｂｕｓ）やＢｌｕｅｔｏｏｔｈ（登録商標）などを用いて接続することもできる。
【０１９６】
（５）上述の実施の形態で示した撮影端末２０、認証サーバ３０、及びカメラシステム１０に係る各処理などを、各装置のプロセッサ、及びそのプロセッサに接続された各種回路に実行させるための機械語或いは高級言語のプログラムコードからなる制御プログラムを、記録媒体に記録すること、又は各種通信路等を介して流通させ頒布することもできる。
【０１９７】
このような記録媒体には、ＩＣカード、ハードディスク、光ディスク、フレキシブルディスク、ＲＯＭ、フラッシュメモリ等がある。流通及び頒布された制御プログラムは、プロセッサに読み出され得るメモリ等に格納されることにより利用に供され、そのプロセッサがその制御プログラムを実行することにより、上記実施形態で示したような各機能が実現されるようになる。なお、プロセッサは、制御プログラムを直接実行する他、コンパイルして実行或いはインタプリタにより実行することも可能である。
【０１９８】
（６）上述の実施形態で示した各機能構成要素（撮影端末２０、認証サーバ３０、カメラシステム１０など）は、その機能を実行する回路として実現されてもよいし、１又は複数のプロセッサによりプログラムを実行することで実現されてもよい。
【０１９９】
なお、上述の各機能構成要素は、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。更には、半導体技術の進歩又は派生する別技術によりＬＳＩに置き換わる集積回路化の技術が登場すれば、当然、その技術を用いて機能構成要素の集積化を行うことも可能である。
【０２００】
（７）上述の実施の形態及び各変形例を、部分的に組み合せることも可能である。
【産業上の利用可能性】
【０２０１】
本開示に係る撮影制御方法は、撮影スポットに向けて設置されている撮影カメラを利用して撮影スポットにいる被写体を撮影する際、撮影及び撮影データの取得を行えるユーザの撮影端末とカメラシステムとの間の通信ネットワークを１対１で対応づけることができることから、テーマパーク、アミューズメント施設、観光地などにおける記念撮影用のシステムとして好適である。
【符号の説明】
【０２０２】
１０、１０ａ、１０ｂ、１０ｃ、１０ｄ  カメラシステム
１１  撮影制御サーバ
１２  撮影カメラ
１３  許可ＩＤ設定部
１４  カメラ通信部
１５  カメラ制御部
１６  許可ＩＤフィルタ
１７  第１通信部
２０、２０ａ、２０ｂ  撮影端末
２１  第１通信部
２２  端末ＩＤ記憶部
２３  操作及び表示部
２４  撮影制御部
２５  第２通信部
３０  認証サーバ
３１  第１通信部
３２  制御部
３３  利用可能端末ＩＤ記憶部
４０  ＬＡＮ
５０  ＷＡＮ
１１１ａ  プロセッサ
１１１ｂ  メモリ
１１１ｃ  第１通信回路
１１１ｄ  第２通信回路
２００ａ  プロセッサ
２００ｂ  メモリ
２００ｃ  第１通信回路
２００ｄ  第２通信回路
２００ｅ  ディスプレイ
３００ａ  プロセッサ
３００ｂ  メモリ
３００ｃ  第１通信回路
【図１】
2018056986.tif 000003
【図２】
2018056986.tif 000004
【図３】
2018056986.tif 000005
【図４Ａ】
2018056986.tif 000006
【図４Ｂ】
2018056986.tif 000007
【図４Ｃ】
2018056986.tif 000008
【図４Ｄ】
2018056986.tif 000009
【図５】
2018056986.tif 000010
【図６】
2018056986.tif 000011
【図７】
2018056986.tif 000012
【図８】
2018056986.tif 000013
【図９】
2018056986.tif 000014